(57)【要約】【課題】スクリーンの目詰まりの原因となる海水中の浮遊物や生物等のごみを、取水口に付着させずに、強制的に払い出して沖合側に移動させるようにした取水口の防塵装置を提供すること。【解決手段】複数枚の円板１を回転軸２に所定間隔で配設固定して形成する円筒状スクリーン３の複数本を、互いにその円板１の一部が重なり合うようにして、かつ取水管Ｐの回りを取り囲むようにして隣接配置するとともに、各円筒状スクリーン３の円板１を、円板１の反取水管側が取水流れの方向と同方向に回転するように構成する。【選択図】図１
2008063906.tif 000002
【特許請求の範囲】
【請求項１】
複数枚の円板を回転軸に所定間隔で配設固定して形成する円筒状スクリーンの複数本を、互いにその円板の一部が重なり合うようにして、かつ取水管の回りを取り囲むようにして隣接配置するとともに、各円筒状スクリーンの円板を、該円板の反取水管側が取水流れの方向と同方向に回転するように構成したことを特徴とする取水口の防塵装置。
【請求項２】
円筒状スクリーンを、取水管の取水口の開口方向前方に略Ｖ字状に張り出して配置したことを特徴とする請求項１記載の取水口の防塵装置。
【請求項３】
取水管の取水口を海岸線方向に向けて開口するようにしたことを特徴とする請求項１又は２記載の取水口の防塵装置。
【発明の詳細な説明】
【技術分野】
【０００１】
本発明は、取水口の防塵装置に関し、特に、海水淡水化設備等の取水装置において、海水中のごみを排除しながら取水口から取水するようにした取水口の防塵装置に関するものである。
【背景技術】
【０００２】
従来、海水淡水化設備等の取水装置、発電所や製造設備の冷却水の取水装置においては、ポンプによる揚水時、故障の原因となるためポンプ内にごみ等が侵入しないように取水口或いは取水口近傍にごみ除去装置を配設している。
このごみ除去装置としては、特に限定されるものではないが、例えば、取水口近傍にウェッジワイヤスクリーンや自動除塵機を配設したり、或いはポンプで揚水した後、砂ろ過装置内を通水するようにしたもの等が実施されている。
【０００３】
しかしながら、取水口近傍にウェッジワイヤスクリーンを配設する場合、取水口からのごみの吸い上げを防ぐことをできるが、ウェッジワイヤスクリーンの目詰まりが生じやすく、メンテナンス頻度が高くなるという問題があった。
また、取水口近傍に自動除塵機を配設する場合、ウェッジワイヤスクリーンと同様に取水口からのごみの吸い上げを防ぐことができるも、除塵装置が大型となり、また掻き揚げたごみの後処理に手数や費用が掛かるという問題があった。
【０００４】
また、揚水後に砂ろ過装置内を通水する方式においては、揚水ポンプ内にごみを吸い込み、ポンプを詰まらせたり、故障の原因となるとともに、砂ろ過装置内で除去されたごみの処分に手数が掛かるという問題があった。
【発明の開示】
【発明が解決しようとする課題】
【０００５】
本発明は、従来の取水口の防塵装置の有する問題点に鑑み、スクリーンの目詰まりの原因となる海水中の浮遊物や生物等のごみを、取水口に付着させずに、強制的に払い出して沖合側に移動させるようにした取水口の防塵装置を提供することを目的とする。
【課題を解決するための手段】
【０００６】
上記目的を達成するため、本発明の取水口の防塵装置は、複数枚の円板を回転軸に所定間隔で配設固定して形成する円筒状スクリーンの複数本を、互いにその円板の一部が重なり合うようにして、かつ取水管の回りを取り囲むようにして隣接配置するとともに、各円筒状スクリーンの円板を、該円板の反取水管側が取水流れの方向と同方向に回転するように構成したことを特徴とする。
【０００７】
この場合において、円筒状スクリーンを、取水管の取水口の開口方向前方に略Ｖ字状に張り出して配置することができる。
【０００８】
また、取水管の取水口を海岸線方向に向けて開口することができる。
【発明の効果】
【０００９】
本発明の取水口の防塵装置によれば、複数枚の円板を回転軸に所定間隔で配設固定して形成する円筒状スクリーンの複数本を、互いにその円板の一部が重なり合うようにして、かつ取水管の回りを取り囲むようにして隣接配置するとともに、各円筒状スクリーンの円板を、該円板の反取水管側が取水流れの方向と同方向に回転するように構成することにより、海水中の浮遊物や生物等のごみを、取水口に付着させずに、強制的に払い出して沖合側に移動させ、連続的な取水を可能とすることができる。
【００１０】
また、円筒状スクリーンを、取水管の取水口の開口方向前方に略Ｖ字状に張り出して配置することにより、取水面積を大きく取ることができ、連続的な取水を円滑に行うことができる。
【００１１】
また、取水管の取水口を海岸線方向に向けて開口することにより、海水中の浮遊物や生物等のごみを、確実に沖合側に移動させることができる。
【発明を実施するための最良の形態】
【００１２】
以下、本発明の取水口の防塵装置の実施の形態を、図面に基づいて説明する。
【実施例１】
【００１３】
図１〜図３に、本発明の取水口の防塵装置の一実施例を示す。
本発明の取水口の防塵装置Ａは、揚水ポンプ（図示省略）に接続された取水管Ｐと、この取水管Ｐの回りを取り囲むように配設されたスクリーンＳとより構成する。
【００１４】
このスクリーンＳは、所定の径と板厚を有する円板１の複数枚を１本の回転軸２に予め定めたスクリーン目幅となるよう所定間隔をあけて挿通固定して円筒状スクリーン３を形成し、この円筒状スクリーン３の複数本を、前記取水管Ｐの回りを取り囲むようにして隣接配置するとともに、各円筒状スクリーン３の円板１を、円板１の反取水管側が取水流れの方向と同方向に回転するように構成する。
なお、取水管Ｐの取水口Ｐａは、特に限定されるものではないが、例えば、図１に示すように、水平になるようにし、スクリーンＳよりろ過された海水を吸い込むようにする。
【００１５】
円筒状スクリーン３は、スクリーンＳのフレームに回転可能に取り付けるが、このスクリーンＳのフレームを、取水口Ｐａの上流側に配設する上流側フレーム４ａと、下流側に配設する下流側フレーム４ｂと、上流側フレーム４ａと下流側フレーム４ｂとの間に掛け渡すように配設した上部フレーム５ａ及び下部フレーム５ｂとで構成し、上部フレーム５ａと下部フレーム５ｂとの間に各円筒状スクリーン３を回転可能に支持するようにする。
これにより、取水管Ｐの回りは円筒状スクリーン３にて取り囲まれるようになるが、取水管Ｐの下流側位置には、下流側フレーム４ｂが配設されるので、円筒状スクリーン３は配列されないようになる。
【００１６】
この場合、隣接する円筒状スクリーン３は、その円板１の一部が重なり合うように、すなわち、互いに隣接する一方の円筒状スクリーンの円板の隙間に他方の円板が挿入されるように隣接配置し、各円筒状スクリーン３の軸端を上部フレーム５ａ上に配設した駆動ギアボックス６、減速機７及び電動機８よりなる駆動装置Ｄにて回転駆動するようにする。
なお、これら円筒状スクリーン３の回転方向は、円板１の反取水管側が取水流れの方向と同方向に回転するようにし、これにより、浮遊物が上流側フレーム４ａから下流側フレーム４ｂに向かって沖合側に移動するようにして定める。
したがって、上流側フレーム４ａと下流側フレーム４ｂとの間に並列される円筒状スクリーン群は、その配置位置によって互いにその回転方向を異なるようにし、例えば、図１において、上側列の円筒状スクリーン群の各円筒状スクリーンは反時計方向に、下側列の円筒状スクリーン群の各円筒状スクリーンは時計方向にそれぞれ回転するようにする。
【００１７】
また、上流側フレーム４ａと最も上流側に配列された円筒状スクリーン３との間には、上流側スクレーパ９ａを、また、最も下流側に配列された円筒状スクリーン３と下流側フレーム４ｂとの間には下流側スクレーパ９ｂを、それぞれ配設し、これにより、円筒状スクリーン３と上流側フレーム４ａ及び下流側フレーム４ｂとの隙間からごみが侵入することを防止するとともに、円筒状スクリーン３に付着しているごみを強制的に除去するようにする。
【００１８】
また、最も下流側に配列される円筒状スクリーン３には、図３（ａ）に示すような他の円筒状スクリーン３に用いられる所定の径と板厚（薄肉）を有する円板１に代えて、図３（ｂ−１）及び（ｂ−２）に示すような、厚みのある円板１ａ（図示のものは、薄肉の円板にリング部材を溶接して形成しているが、厚肉の円板をそのまま用いることもできる。）を用いることができる。
これにより、隣接する円筒状スクリーン３の円板１、１ａ間に入り込んだごみを、積極的に掻き出すことができ、固定式のスクレーパのごみの噛み込みの問題を解消することができ、厚みのある円板１ａを用いたことと相俟って、ごみの負荷の増大に対処することができる。
【００１９】
円筒状スクリーン３は、取水管Ｐの取水口Ｐａの開口方向前方に略Ｖ字状（楔状）に張り出すように、特に限定されるものではないが、例えば、取水口Ｐａの開口幅の数倍〜１０倍程度の長さで張り出すように配置することが好ましい。
これにより、スクリーンＳの取水面積を大きく取ることができ、連続的な取水を円滑に行うことができる。
【００２０】
次に、上記取水口の防塵装置の作用について説明する。
この取水口の防塵装置Ａは、海水を取水適当な位置に、かつ取水口Ｐａが水面下となるように設置する。
この場合、特に限定されるものではないが、取水管Ｐの取水口Ｐａが海岸線方向（陸側）に向けて開口するようにするのが望ましく、これにより、ごみを、確実に沖合側に移動させることができる。
【００２１】
取水管Ｐに接続される揚水ポンプを駆動すると取水口Ｐａから海水を吸い込むようにする。
この場合、スクリーンＳの各円筒状スクリーン３はそれぞれ定められた一方向に、駆動ギアボックス６、減速機７及び電動機８よりなる駆動装置Ｄにて回転駆動されているので、ごみは、その円筒状スクリーン３の一方向の回転に沿って、取水口Ｐａの上流側から下流側に向かって移動させられる。このときの海水の吸い込み方向とごみの流れ方向を図１に示す。
これにより、海水は、各円筒状スクリーン３の円板隙間からスクリーン内に吸い込まれるようになり、一方、ごみは、黒矢印の方向に流され、やがて取水口下流の円筒状スクリーンが配設されていない下流側フレーム４ｂの箇所でスクリーンＳから離間するようになる。これにより、ごみをスクリーン面に付着することなく、また、海面より掻き揚げることなく処理することができる。
【００２２】
以上、本発明の取水口の防塵装置について、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の取水口の防塵装置は、スクリーンの目詰まりの原因となる海水中の浮遊物や生物等のごみを、取水口に付着させずに、強制的に払い出して沖合側に移動させることができることから、海水淡水化施設の用途に好適に用いることができるほか、例えば、発電所等の海水取水を行う施設の用途にも用いることができる。
【図面の簡単な説明】
【００２４】
【図１】本発明の取水口の防塵装置の一実施例を示す平面横断面図である。
【図２】同正面縦断面図である。
【図３】円板を示し、（ａ）は通常の円板の上方からの斜視図、（ｂ−１）は最も下流側に配列された円筒状スクリーンの用いられる円板の上方からの斜視図、（ｂ−２）は同下方からの斜視図である。
【符号の説明】
【００２５】
Ａ    取水口の防塵装置
Ｓ    スクリーン
Ｐ    取水管
Ｐａ  取水口
１    円板
１ａ  円板
２    回転軸
３    円筒状スクリーン
４ａ  上流側フレーム
４ｂ  下流側フレーム
５ａ  上部フレーム
５ｂ  下部フレーム
６    駆動ギアボックス
７    減速機
８    電動機
９ａ  上流側スクレーパ
９ｂ  下流側スクレーパ
【図１】
2008063906.tif 000003
【図２】
2008063906.tif 000004
【図３】
2008063906.tif 000005